(57)【要約】【課題】係止対象物の材質、形状に関する制約が少なく、汎用性に優れた表示器具を提供する。【解決手段】表示器具１０は、永久磁石１１による磁力吸着面１１ａを有する基台１２及び基台１２に回動可能に設けられた第一掲示手段１３を有する本体部１４と、本体部１４の基台１２を非磁性体に係止するため基台１２に着脱可能に取り付けられる粘着性係止部材１５及び弾性挟持部材１６と、を備えている。基台１２と第一掲示手段１３とは、ヒンジ部１７の軸心１７ａを中心に蝶番状に回動可能である。粘着性係止部材１５は、複数のフック１５ａを、基台１２のフック孔１２ａに嵌入させることにより、基台１２の裏面部１２ｅを閉塞するように取り付けられ、弾性挟持部材１６は、グリップ部１６ａで基台１２を掴み、その両端を溝部１２ｃに係合させることにより、基台１２に取り付けられる。【選択図】図１
2012053356.tif 000002
【特許請求の範囲】
【請求項１】
磁力吸着面を有する基台及び前記基台に回動可能に設けられた第一掲示手段を有する本体部と、前記本体部を非磁性体に係止するため前記基台に着脱可能に取り付けられる粘着性係止手段若しくは挟持手段の少なくとも一方と、を備えたことを特徴とする表示器具。
【請求項２】
磁力吸着面を有する基台及び前記基台に回動可能に設けられた支持アームを有する本体部と、前記支持アームに着脱可能な第一掲示手段と、前記本体部を非磁性体に係止するため前記基台に着脱可能に取り付けられる粘着性係止手段若しくは挟持手段の少なくとも一方と、を備えたことを特徴とする表示器具。
【請求項３】
前記貼着性係止手段が、自己粘着性エラストマーシートで形成された粘着面を有する貼着性係止部材である請求項１または２記載の表示器具。
【請求項４】
前記挟持手段が、前記基台の少なくとも一部と対向する状態に取り付けられる弾性挟持部材である請求項１〜３のいずれかに記載の表示器具。
【請求項５】
前記基台に着脱可能に取り付けられる第二掲示手段を備えた請求項１〜４のいずれかに記載の表示器具。
【発明の詳細な説明】
【技術分野】
【０００１】
本発明は、スーパーマーケットやコンビニエンスストアの陳列棚などに陳列された商品の情報あるいは店舗情報などを表示するための表示器具に関する。
【背景技術】
【０００２】
スーパーマーケットやコンビニエンスストアの陳列棚などに陳列された商品の情報や店舗情報などを表示する表示器具として、従来、磁石式表示具が使用されている（例えば、特許文献１参照。）。この磁石式表示具は、基台の上部に表示パネルを保持する表示パネル保持手段が設けられ、この基台の底部に磁石吸着面が設けられている。
【０００３】
特許文献１記載の磁石式表示具は、係止対象物である金属製陳列棚などの被着面に対して基台の磁石吸着面を吸着させることにより、当該磁石式表示具を任意の位置に係止することができる。
【先行技術文献】
【特許文献】
【０００４】
【特許文献１】特開２００２−３２３８５７号公報
【発明の概要】
【発明が解決しようとする課題】
【０００５】
特許文献１記載の磁石式表示具は、磁石による吸着力を利用して陳列棚などの係止対象物に係止するものであるため、係止対象物が磁性材料（磁石が着く材料）で形成されていない場合あるいは係止対象物に平面状の被着面が存在しない場合、当該磁石式表示具を係止することが困難である。即ち、この磁石式表示具が使用可能な係止対象物は、その材質や形状に関する制約が多く、汎用性に欠けることがある。
【０００６】
本発明が解決しようとする課題は、係止対象物の材質、形状に関する制約が少なく、汎用性に優れた表示器具を提供することにある。
【課題を解決するための手段】
【０００７】
本発明の表示器具は、磁力吸着面を有する基台及び前記基台に回動可能に設けられた第一掲示手段を有する本体部と、前記基台を非磁性体に係止するため前記基台に着脱可能に取り付けられる粘着性係止手段若しくは挟持手段の少なくとも一方と、を備えたことを特徴とする。
【０００８】
次に、本発明の表示器具は、磁力吸着面を有する基台及び前記基台に回動可能に設けられた支持アームを有する本体部と、前記支持アームに着脱可能な第一掲示手段と、前記基台を非磁性体に係止するため前記基台に着脱可能に取り付けられる粘着性係止手段若しくは挟持手段の少なくとも一方と、を備えたことを特徴とする。
【０００９】
ここで、前記貼着性係止手段が、自己粘着性エラストマーシートで形成された粘着面を有する貼着性係止部材であることが望ましい。なお、自己粘着性エラストマーシートとは、ガラス、セラミック、金属、プラスチック、木などの平滑な表面に対して、粘着剤や粘着剤を使用せずに容易に貼着することができるとともに、容易に引き剥すことができる合成樹脂シートをいう。
【００１０】
また、前記挟持手段が、前記基台の少なくとも一部と対向する状態に取り付けられる弾性挟持部材であることが望ましい。
【００１１】
一方、前記基台に着脱可能に取り付けられる第二掲示手段を備えることもできる。
【発明の効果】
【００１２】
本発明により、係止対象物の材質、形状に関する制約が少なく、汎用性に優れた表示器具を提供することができる。
【図面の簡単な説明】
【００１３】
【図１】本発明の第一実施形態である表示器具を示す斜視図である。
【図２】図１に示す表示器具を構成する本体部の正面側を示す斜視図である。
【図３】図２に示す本体部の裏面側を示す斜視図である。
【図４】図２に示す本体部の回動操作を示す図である。
【図５】図２に示す本体部における第一掲示手段の回動状態を示す図である。
【図６】（ａ）は図１に示す本体部に対する貼着性係止部材の取り付け手順を示す図であり、（ｂ）は粘着性係止部が取り付けられた表示器具を示す斜視図である。
【図７】図１に示す表示器具における本体部に対する弾性挟持部材の取り付け手順を示す図である。
【図８】図７に示す本体部及び弾性挟持部材で構成された表示器具の使用例を示す側面図である。
【図９】本発明の第二実施形態である表示器具を示す斜視図である。
【図１０】本発明の第三実施形態である表示器具を示す一部省略斜視図である。
【発明を実施するための形態】
【００１４】
図１〜図８に基づいて、本発明の第一実施形態である表示器具１０について説明する。図１に示すように、表示器具１０は、永久磁石１１による磁力吸着面１１ａを有する基台１２及び基台１２に回動可能に設けられた第一掲示手段１３を有する本体部１４と、本体部１４の基台１２を非磁性体（図示せず）に係止するため基台１２に着脱可能に取り付けられる粘着性係止部材１５及び弾性挟持部材１６と、を備えている。基台１２及び第一掲示手段１３は平面視形状が略長方形であり、ヒンジ部１７の軸心１７ｃを中心に蝶番状に回動可能である。基台１２は裏面部１２ｅが開口した浅い箱体形状をなし、その内部に永久磁石１１が収容された状態で着脱可能に取り付けられている。
【００１５】
粘着性係止部材１５は、基台１２の裏面部１２ｅの開口部分を閉塞するように取り付けられ、その周縁に突設された複数のフック１５ａを、基台１２の周壁部１２ｂに開設されたフック孔１２ａに嵌入させることにより、基台１２に着脱可能に固定される。
【００１６】
弾性挟持部材１６は、基台１２の周壁部１２ｂに設けられた溝部１２ｃに係合可能な略Ｃ字状のグリップ部１６ａと、グリップ部１６ａからＪ字状に突設された係止片１６ｂと、を備えている。弾性挟持部材１６は、そのグリップ部１６ａで基台１２を掴むとともに、グリップ部１６ａの両端を溝部１２ｃに係合させることにより、基台１２に着脱可能に固定される。
【００１７】
図２，図３に示すように、本体部１４を構成する第一掲示手段１３は、プライスカードＰなどを着脱可能に挟持するクリップ１３ａと、基台１２に設けられた筒状の軸受部１２ｄに回動可能に挿入された軸部１３ｂと、を備えている。軸受部１２ｄ及び軸部１３ｂによってヒンジ部１７が形成されている。
【００１８】
図４（ａ）に示すように、基台１２の軸受部１２ｄと第一掲示手段１３の軸部１３ｂとの間にはセレーション機構１８が設けられている。図４（ｂ）に示すように、セレーション機構１８は、軸受部１２ｄの内周面の端部寄りに設けられたセレーション穴部１８ａと、軸部１３ｂの外周面の基端部寄りに設けられたセレーション軸部１８ｂと、で構成されている。軸受部１２ｄと軸部１３ｂとの間に介在する弾性体（図示せず）により、セレーション軸部１８ｂをセレーション穴部１８ａ内に引き込む方向に付勢されているため、平常時は図４（ａ）に示す状態でヒンジ部１７は回動不能に保持されている。
【００１９】
図４（ａ）の矢線Ｆ方向の力を軸部１３ｂの端部に加え、軸受部１２ｄと軸部１３ｂとを軸心１７ａに沿って互いに逆方向にスライドさせると、図４（ｂ）に示すように、セレーション軸部１８ｂがセレーション穴部１８ａから離脱し、図５に示すように、第一掲示手段１３は基台１２に対しヒンジ部１７を中心に回動可能となる。また、矢線Ｆ方向の力を解除すると、セレーション軸部１８ｂがセレーション穴部１８ａ内に移動し、第一掲示手段１３は基台１２に対し回動不能に保たれる。
【００２０】
このように、図４（ａ）に示す矢線Ｆ方向の力を加え、図４（ｂ）に示す状態を保ちながら、基台１２に対して第一掲示手段１３を回動させた後、矢線Ｆ方向の力を解除することにより、セレーション機構１８を構成するセレーション穴部１８ａ（セレーション軸部１８ｂ）の溝ピッチを単位として、基台１２に対する第一掲示手段１３の角度を変更することができる。
【００２１】
従って、使用条件に応じて、基台１２に対する第一掲示手段１３の角度を設定し、基台１２の裏面部１２ｅの永久磁石１１を被着面（磁性体）に吸着させれば、本体部１４は被着面に着脱可能に係止され、図２に示すように、プライスカードＰなどをクリップ１３ａに挟持して表示することができる。図５に示すように、本体部１４においては、第一係止手段１３は、そのクリップ部１３ａが基台１２に重なり合う状態から軸心１７ｃを中心に２７０度の範囲内で角度を変更することができるが、これに限定するものではない。
【００２２】
次に、図６に基づいて、基台１２に着脱可能に取り付けられる粘着性係止部材１５について説明する。図６（ａ）に示すように、粘着性係止部材１５は、磁力吸着面１１ａを覆うとともに基台１２の裏面部１２ｅの開口部分を閉塞するように取り付けられ、その周縁に突設された複数のフック１５ａを、基台１２の周壁部１２ｂに開設されたフック孔１２ａに嵌入させることにより、基台１２に着脱可能に固定される。
【００２３】
粘着性係止部材１５を基台１２に取り付けると、図６（ｂ）に示すように、自己粘着性エラストマーシートＳで形成された粘着面１５ｂが基台１２の裏面側に露出した状態となる。従って、ガラス、セラミック、非磁性金属、プラスチック、木などの非磁性体の平滑な被着面に対して粘着面１５ｂを貼着することにより、粘着剤や粘着剤を使用せずに、本体部１４を前記被着面に着脱可能に係止することができる。自己粘着性エラストマーシートＳとしては「ＴＧシート（商品名）」を好適に使用することができるが、これに限定するものではない。
【００２４】
次に、図７，図８に基づいて基台１２に着脱可能に取り付けられる弾性挟持部材１６について説明する。図７に示すように、弾性挟持部材１６は、グリップ部１６ａで基台１２を掴むとともに、グリップ部１６ａの両端を溝部１２ｃに係合させることにより、基台１２に着脱可能に固定される。弾性挟持部材１６は、その係止片１６ｂを基台１２の正面部１２ｆ若しくは裏面部１２ｅ（図１参照）のいずれかと対向させた状態で基台１２に取り付けることができる。
【００２５】
図８に示すように、弾性挟持部材１６を、その係止片１６ｂを基台１２の正面部１２ｆと対向させた状態で基台１２に取り付ければ、係止対象物である板状体Ｔを係止片１６ｂと基台１２の正面部１２ｆとの間に挟み込むことにより、本体部１４を板状体Ｔに着脱可能に係止することができる。また、係止片１６ｂと正面部１２ｆとの間に挟持可能な形状であれば、板状体Ｔ以外の係止対象物にも係止することができる。なお、弾性挟持部材１６を、その係止片１６ｂを基台１２の裏面部１２ｅと対向させた状態で基台１２に取り付けた場合も前述と同様の機能を発揮する。
【００２６】
以上のように、表示器具１０は、永久磁石１１による磁力吸着面１１ａのほかに、基台１に対して着脱可能な粘着性係止部材１５及び弾性挟持部材１６を備えているため、磁性体だけでなく非磁性体に対しても本体部１４を係止することができる。従って、表示器具１０は係止対象物の材質、形状に関する制約が少なく、様々な物体に係止して使用することが可能であり、汎用性に優れている。
【００２７】
次に、図９に基づいて本発明の第二実施形態である表示器具２０について説明する。なお、図９において図２と同符号を付している部分は本体部１４の構成部分と同じ構造、機能を有する部分であり、説明を省略する。
【００２８】
図９に示すように、表示器具２０においては、基台１２に着脱可能に取り付けられる第二掲示手段２１を備えている。第二掲示手段２１は、基台１２の周壁部１２ｂに設けられた溝部１２ｃに係合可能な略Ｃ字状のグリップ部２１ａと、グリップ部２１ａに立設された支柱２１ｂと、支柱２１ｂの先端部に設けられたクリップ部２１ｃと、を備えている。第二掲示手段２１は、そのグリップ部２１ａで基台１２を掴むとともに、グリップ部２１ａの両端を溝部１２ｃに係合させることにより、基台１２に着脱可能に固定される。クリップ部２１ｃはクリップ部１３ａと同様の構造、機能を有している。
【００２９】
基台１２の裏面部１２ｅ側の磁力吸着面１１ａ（図３参照）を係止対象物の被着面（図示せず）に吸着させれば、第二掲示手段２１のクリップ部２１にプライスカードＰなどを挟持することができる。また、本体部１４の基台１２に対して、図１に示す粘着性係止部材１５や弾性挟持部材１６を取り付けることもできる。なお、本発明の第二掲示手段は図９に示す第二掲示手段２１に限定しないので、使用条件に適した形状、機能を有するものを使用することもできる。
【００３０】
次に、図１０に基づいて本発明の第三実施形態である表示器具３０について説明する。なお、図１０において図２と同符号を付している部分は本体部１４の構成部分と同じ構造、機能を有する部分であり、説明を省略する。
【００３１】
図１０に示すように、表示器具３０は、磁力吸着面を有する基台１２及び基台１２に回動可能に設けられた支持アーム３２を有する本体部３３と、支持アーム３３に着脱可能な第一掲示手段３４と、を備えている。また、本体部３３を非磁性体に係止するための粘着性係止部材１５や弾性挟持部材１６（図１参照）が基台１２に着脱可能である。
【００３２】
支持アーム３２の軸部１３ｂはヒンジ部１７を介して軸心１７ａを中心に回動可能であり、ヒンジ部１７にはセレーション機構１８（図４参照）が内蔵されているため、基台１２に対する支持アーム３２の角度は変更可能である。支持アーム３２の先端部３２ａを第一掲示手段３４の基端部３４ａの穴部３４ｂに嵌入することにより、第一掲示手段３４が支持アーム３２に着脱可能に取り付けられる。第一掲示手段３４の支柱３４ｃの先端側にはプライスカードなどを把持可能な任意の部材を設けることができる。
【産業上の利用可能性】
【００３３】
本発明の表示器具は、スーパーマーケットやコンビニエンスストアの陳列棚などに陳列された商品の情報あるいは店舗情報などの表示手段として広く利用することができる。
【符号の説明】
【００３４】
１０，２０，３０  表示器具
１１  磁石
１１ａ  磁力吸着面
１２  基台
１２ａ  フック孔
１２ｂ  周壁部
１２ｃ  溝部
１２ｄ  軸受部
１２ｅ  裏面部
１２ｆ  正面部
１３，３４  第一掲示手段
１３ａ，２１ｃ  クリップ部
１３ｂ  軸部
１４，３３  本体部
１５  粘着性係止部材
１６  弾性挟持部材
１６ａ，２１ａ  グリップ部
１６ｂ  係止片
１７  ヒンジ部
１７ａ  軸心
１８  セレーション機構
１８ａ  セレーション穴部
１８ｂ  セレーション軸部
２１  第二掲示手段
２１ｂ，３４ｃ  支柱
３２  支持アーム
３２ａ  先端部
３４ａ  基端部
３４ｂ  穴部
Ｆ  矢線
Ｓ  自己粘着性エラストマーシート
Ｔ  板状体
【図１】
2012053356.tif 000003
【図２】
2012053356.tif 000004
【図３】
2012053356.tif 000005
【図４】
2012053356.tif 000006
【図５】
2012053356.tif 000007
【図６】
2012053356.tif 000008
【図７】
2012053356.tif 000009
【図８】
2012053356.tif 000010
【図９】
2012053356.tif 000011
【図１０】
2012053356.tif 000012